(57)【特許請求の範囲】
【請求項１】
カードが挿入されるカード挿入部を有するハウジングと、前記カード挿入部内に突出し前記カードと接触する複数のコンタクトと、前記カードとともに移動するイジェクタと、該イジェクタを押し出し方向に付勢する押し出しバネと、前記ハウジングに配置された樹脂製のハートカムと、該ハートカムの周りに配されたループ状のピンガイド溝と、一端に前記ピンガイド溝に摺動可能に挿入された係合ピン部を有し、他端が前記イジェクタに回動可能に支持されたロックピンとを備え、
前記ハウジングは、金属製のハウジング用部材が埋設された状態に組み込まれて形成される合成樹脂製の底板部を有するハウジング本体と、導電性金属材からなるシールドカバーとが組み付けられ、
前記ハートカムは、前記ハウジング本体に配置され、カード挿抜方向の一方の端部に前記係合ピン部が係合する係合凹部を備え、
初めのカード押し込み動作により前記係合ピン部が前記係合凹部に係合する位置に移動し、前記イジェクタのカード押し出し方向の移動が規制され、再度のカード押し込み動作により前記係合ピン部が前記係合凹部より離脱して係合が解除されるようにしたプッシュイン・プッシュアウト方式のカードコネクタにおいて、
前記ハウジング用部材と一体に形成され、該ハウジング用部材とともに前記ハウジング本体に埋設された状態に組み込まれる金属製の補強当接部を有する補強金具を備え、
前記補強当接部は、前記ハートカムの係合凹部の内側に組み込まれ、該補強当接部に前記係合ピン部が当接されるようにしていることを特徴としてなるカードコネクタ。
【請求項２】
前記補強当接部に前記係合ピン部が嵌り込む当接凹部を備えた請求項１に記載のカードコネクタ。
【請求項３】
前記補強金具は、前記ハートカムの上面部に該上面部と平行配置に埋設される平板状の水平板部を備え、該水平板部の端縁部を前記補強当接部とした請求項１又は２に記載のカードコネクタ。
【請求項４】
前記水平板部の端縁部を切欠いて前記補強当接部に当接凹部を形成してなる請求項３に記載のカードコネクタ。
【請求項５】
前記補強金具は、前記係合凹部の内側面部に表面が露出する鉛直板部を備え、該鉛直板部の表面を前記補強当接部としてなる請求項１又は２に記載のカードコネクタ。
【請求項６】
前記鉛直板部の表面に縦方向に向けた凹部を備え、該凹部を前記当接凹部としてなる請求項５に記載のカードコネクタ。
【発明の詳細な説明】
【技術分野】
【０００１】
本発明は、携帯電話機やスマートフォン等の電子機器にＩＣカードやフラッシュメモリーカード等のカードを接続するためのカードコネクタであって、特にプッシュイン・プッシュアウト方式のカード取出し機構を備えたカードコネクタに関する。
【背景技術】
【０００２】
従来、この種のカードコネクタにおいては、カード押し込み動作に伴ってカードの挿入及び排出がされる所謂プッシュイン・プッシュアウト方式のカード取出し機構を備えたカードコネクタが広く知られている。
【０００３】
このカードコネクタ１００は、図１１に示すように、ＩＣカード等のカードＡが挿入されるカード挿入部１０１を有するハウジング１０２と、ハウジング１０２に支持されてカード挿入部２内に突出する複数のコンタクト（図示せず）と、カードＡと共にカード挿入部２内を移動するイジェクタ１０３と、イジェクタ１０３を押し出し方向に付勢する押し出しバネ１０４と、ハウジング１０２のカード挿入部側部に配置されたハートカム１０５及びハートカム１０５の周りに形成されたループ状のピンガイド溝１０６からなるハートカム部と、一端がイジェクタ１０３に回動可能に支持され、他端の係合ピン部１０７がピンガイド溝１０６に挿入されたロックピン１０８とを備えている。
【０００４】
そして、このカードコネクタ１００では、初めのカード押し込み動作によってカードＡと共にイジェクタ１０３が移動し、それと連動してロックピン１０８の係合ピン部１０７がピンガイド溝１０６内を移動してハートカム１０５と係合する位置に移動し、ロックピン１０８を介してイジェクタ１０３がハートカム１０５に係合し、その位置にイジェクタ１０３がロックされる。
【０００５】
そして、再度の押し込み動作によってロックピン１０８の係合ピン部１０７がハートカム１０５と係合する位置より離脱してイジェクタ１０３のロックが解除され、押出しバネ１０３の付勢力によってイジェクタ１０３がカードＡを押し出すようになっている。
【０００６】
ハートカム１０５は、カード挿抜方向の一方の端部に係合ピン部１０７が係合する係合凹部１０９を有する平面視ハート状に形成され、図１２に示すように、係合凹部１０９の内側にロックピン１０８の係合ピン部１０７が係合するようになっている。
【先行技術文献】
【特許文献】
【０００７】
【特許文献１】特開２００８−３００２２９号公報
【発明の概要】
【発明が解決しようとする課題】
【０００８】
しかしながら、上述の如き従来の技術では、カードが嵌合した状態、即ち、ロックピンの係合ピン部がハートカムの係合凹部と互いに係合した状態において、高温下に晒されたことによる樹脂強度の低下や落下衝撃等により係合ピン部からハートカムに対して過度な負荷が加わった場合、金属製の係合ピン部から受ける負荷に抗しきれずに樹脂製のハートカムが破損してしまい、係合ピン部が係合凹部と互いに係合不能な状態となり、カードが勝手に排出されてしまったり、カードを所望の位置に維持できなかったりする虞があった。
【０００９】
そこで本発明は、このような従来の問題に鑑み、プッシュイン・プッシュアウト方式のカードコネクタにおいて、ハートカムの破損を防止し、安定したカード保持状態を維持することができるカードコネクタの提供を目的としてなされたものである。
【課題を解決するための手段】
【００１０】
上述の如き従来の問題を解決し、所期の目的を達成するための請求項1に記載の発明の特徴は、カードが挿入されるカード挿入部を有するハウジングと、前記カード挿入部内に突出し前記カードと接触する複数のコンタクトと、前記カードとともに移動するイジェクタと、該イジェクタを押し出し方向に付勢する押し出しバネと、前記ハウジングに配置された樹脂製のハートカムと、該ハートカムの周りに配されたループ状のピンガイド溝と、一端に前記ピンガイド溝に摺動可能に挿入された係合ピン部を有し、他端が前記イジェクタに回動可能に支持されたロックピンとを備え、前記ハウジングは、金属製のハウジング用部材が埋設された状態に組み込まれて形成される合成樹脂製の底板部を有するハウジング本体と、導電性金属材からなるシールドカバーとが組み付けられ、前記ハートカムは、前記ハウジング本体に配置され、カード挿抜方向の一方の端部に前記係合ピン部が係合する係合凹部を備え、初めのカード押し込み動作により前記係合ピン部が前記係合凹部に係合する位置に移動し、前記イジェクタのカード押し出し方向の移動が規制され、再度のカード押し込み動作により前記係合ピン部が前記係合凹部より離脱して係合が解除されるようにしたプッシュイン・プッシュアウト方式のカードコネクタにおいて、前記ハウジング用部材と一体に形成され、該ハウジング用部材とともに前記ハウジング本体に埋設された状態に組み込まれる金属製の補強当接部を有する補強金具を備え、前記補強当接部は、前記ハートカムの係合凹部の内側に組み込まれ、該補強当接部に前記係合ピン部が当接されるようにしているカードコネクタにある。
【００１１】
請求項２に記載の発明の特徴は、請求項１の構成に加え、前記補強当接部に前記係合ピン部が嵌り込む当接凹部を備えたことにある。
【００１２】
請求項３に記載の発明の特徴は、請求項１又は２の構成に加え、前記補強金具は、前記ハートカムの上面部に該上面部と平行配置に埋設される平板状の水平板部を備え、該水平板部の端縁部を前記補強当接部としたことにある。
【００１３】
請求項４に記載の発明の特徴は、請求項３の構成に加え、前記水平板部の端縁部を切欠いて前記補強当接部に前記当接凹部を形成してなることにある。
【００１４】
請求項５に記載の発明の特徴は、請求項１又は２の構成に加え、  前記補強金具は、前記係合凹部の内側面部に表面が露出する鉛直板部を備え、該鉛直板部の表面を前記補強当接部としてなることにある。
【００１５】
請求項６に記載の発明の特徴は、請求項５の構成に加え、前記鉛直板部の表面に縦方向に向けた凹部を備え、該凹部を前記当接凹部としてなることにある。
【発明の効果】
【００１６】
本発明に係るカードコネクタは、上述したように、カードが挿入されるカード挿入部を有するハウジングと、前記カード挿入部内に突出し前記カードと接触する複数のコンタクトと、前記カードとともに移動するイジェクタと、該イジェクタを押し出し方向に付勢する押し出しバネと、前記ハウジング又はイジェクタの何れか一方に配置された樹脂製のハートカムと、該ハートカムの周りに配されたループ状のピンガイド溝と、一端に前記ピンガイド溝に摺動可能に挿入された係合ピン部を有し、他端が前記ハウジング又はイジェクタの何れか他方に回動可能に支持されたロックピンとを備え、  前記ハートカムは、カード挿抜方向の一方の端部に前記係合ピン部が係合する係合凹部を備え、初めのカード押し込み動作により前記係合ピン部が前記係合凹部に係合する位置に移動し、前記イジェクタのカード押し出し方向の移動が規制され、再度のカード押し込み動作により前記係合ピン部が前記係合凹部より離脱して係合が解除されるようにしたプッシュイン・プッシュアウト方式のカードコネクタにおいて、前記ハートカムには、前記係合凹部の内側に配置されて前記係合ピン部が当接される金属製の補強当接部を有する補強金具を備えたことにより、カードが嵌合した状態、即ち、ロックピンの係合ピン部がハートカムの係合凹部と互いに係合した状態において、高温下に晒されたことによる樹脂強度の低下や落下衝撃等により係合ピン部からハートカムに対して過度な負荷が加わった場合であっても、その係合ピン部からハートカムが受ける負荷に対し強度の高い金属製の補強金具で受けることによってハートカムの破損を防止し、安定した係合状態を維持することができる。
【００１７】
また、本発明において、前記ハウジングは、合成樹脂製の底板部を有するハウジング本体と、導電性金属材からなるシールドカバーとを組み付けることにより構成され、前記補強金具は、前記ハウジング本体を構成する金属製のハウジング用部材と一体に形成され、インサート成形により前記ハウジング用部材を前記ハウジング本体に組み込むことにより、前記補強金具が前記ハートカムに組み込まれるようにしたことにより、補強金具をハートカム部に安定した状態で固定することができ、係合ピン部より受ける負荷に対し、高い耐力を得ることができる。
【００１８】
更に本発明において、前記補強当接部に前記係合ピン部が嵌り込む当接凹部を備えたことにより、落下衝撃等による衝撃を受けた際に係合ピン部が係合凹部より逸脱するのを防止し、安定した係合状態を維持することができる。また、係合ピン部に対する補強当接部の接触面積が大きくなるので負荷が分散される。
【００１９】
また、本発明において、前記補強金具は、前記ハートカムの上面部に該上面部と平行配置に埋設される平板状の水平板部を備え、該水平板部の端縁部を前記補強当接部としたことにより、ハートカムの係合ピン部より受ける負荷によって破損し易い部分を好適に補強することができる。
【００２０】
更に、本発明において、前記水平板部の端縁部を切欠いて前記当接凹部を形成してなることにより、プレス加工により容易に当接凹部を形成することができ、また、ハートカムの係合凹部の形状やロックピンの係合ピン部の形状等に合わせて適宜当接凹部を形成することができる。
【００２１】
また、本発明において、前記補強金具は、前記係合凹部の内側面部に表面が露出する鉛直板部を備え、該鉛直板部の表面を前記補強当接部としてなることにより、補強当接部の面積を広く取ることができる。
【００２２】
更に、本発明において、前記鉛直板部の表面にプレス加工により縦方向に向けた溝状の凹部を形成し、該凹部を前記当接凹部としてなることにより、落下衝撃等による衝撃を受けた際に係合ピン部が係合凹部より逸脱するのを防止することができる。
【図面の簡単な説明】
【００２３】
【図１】本発明に係るカードコネクタの一例を示す斜視図である。
【図２】同上の分解斜視図である。
【図３】図２中の補強金具を備えたハウジング用部材の一例を示す斜視図である。
【図４】図２中のハートカム部を示す部分拡大斜視図である。
【図５】同上の平面図である。
【図６】図１中の係合ピン部がハートカムと係合した状態を示す部分拡大縦断面図である。
【図７】本発明に係るカードコネクタの他の一例のハートカム部を示す部分拡大斜視図である。
【図８】同上の部分拡大縦断面図である。
【図９】本発明に係るカードコネクタの他の一例のハートカム部を示す部分拡大斜視図である。
【図１０】同上の部分拡大縦断面図である。
【図１１】従来のカードコネクタのロック状態を示すシールドカバーを外した平面図である。
【図１２】同状態のハードカム部を示す縦断面図である。
【発明を実施するための形態】
【００２４】
次に、本発明に係るカードコネクタの実施の態様を図１〜図６に示した実施例に基づいて説明する。尚、図中符号ＡはＩＣカードやフラッシュメモリーカード等のカード、符号１はカードコネクタである。
【００２５】
カードコネクタ１は、カードＡが挿入されるカード挿入部２を有するハウジング３と、ハウジング３に支持されてカード挿入部２内に突出した複数のコンタクト４，４...とを備え、カード挿入部２内に挿入されたカードＡの片面側に配置された信号伝達パッド（図示せず）が対応するコンタクト４，４...と接触することにより、カードコネクタ１を介してカードＡとカードコネクタ１が実装された実装基板とを電気的に接続するようになっている。
【００２６】
また、このカードコネクタ１には、カードＡの側縁部と着脱可能に係合し、当該カードＡと共にハウジング３内を移動するイジェクタ５と、イジェクタ５を押し出し方向に付勢する押し出しバネ６と、ハウジング３に配置された樹脂製のハートカム７と、ハートカム７の周りに配されたループ状のピンガイド溝８と、一端にピンガイド溝８に摺動可能に挿入された係合ピン部９を有し、他端がイジェクタ５に回動可能に支持されたロックピン１０とを備え、カード押し込み動作に伴ってカードＡの挿入及び排出がされる所謂プッシュイン・プッシュアウト方式のカード取出し機構を備えている。
【００２７】
即ち、このカードコネクタ１では、初めのカード押し込み動作によってカードＡと共にイジェクタ５が移動し、それと連動してロックピン１０の係合ピン部９がピンガイド溝８内を移動してハートカム７と係合する位置に移動し、ロックピン１０によってイジェクタ５の移動が規制され、カード挿入部２内の所定の位置にカードＡがロックされる。
【００２８】
一方、再度のカード押し込み動作によってロックピン１０の係合ピン部９がピンガイド溝８内を移動してハートカム７と係合する位置より離脱してイジェクタ５のロックが解除され、押し出しバネ６の付勢力によってイジェクタ５がカードＡを押し出すようになっている。
【００２９】
ハウジング３は、絶縁性合成樹脂製の底板部を有するハウジング本体１１と、導電性金属製のシールドカバー１２とを組み付けることによりカード挿入部２が前面に開口した中空箱状に形成され、前面の開口よりカードＡを出し入れするようになっている。
【００３０】
ハウジング本体１１は、平板状の底板部２１と、底板部２１の両側縁部より立ち上げた形状の側壁部２２，２３とを備え、底板部２１と両側壁部２２，２３とによって、上面側が凹んだ形状のカード挿入部２が形成され、その上面がシールドカバー１２の天板によって覆われて前面に開口した中空箱状を成すようになっている。
【００３１】
このハウジング本体１１の底板部２１には、導電性金属板材を打ち抜き・折り曲げ加工することにより形成された複数のコンタクト４，４...がインサート成形により組み込まれ、各コンタクト４，４...の弾性接触片部４ａがカード挿入部２内に突出し、弾性接触片部４ａ先端の接点がカードＡのパッド部と接触するようになっている。
【００３２】
また、このハウジング本体１１には、インサート成形によりハウジング用部材２４が組み込まれ、このハウジング用部材２４が、ハウジング本体１１の一方の側壁部２３と、イジェクタ５が移動可能に収納されるイジェクタガイド部２５の底面部とを形成するようになっている。
【００３３】
ハウジング用部材２４は、金属製板材を打ち抜き・折り曲げ加工することにより一体に成形され、平板状の底板部２６と、底板部２６の一方の側縁より鉛直上向きに立ち上げた形状の側壁部２３とを備えるとともに、底板部２６の奥側端縁に後述する係合凹部２８の内側に配置されて係合ピン部９が当接される金属製の補強当接部３０を有する補強金具２７を一体に備え、ハウジング用部材２４がハウジング本体１１に組み込まれることにより補強金具２７がハートカム７に組み込まれるようになっている。
【００３４】
補強金具２７は、図３に示すように、ハウジング用部材２４の底板部２６の奥側端縁より鉛直上向きに立ち上げた形状の立ち上がり部３１と、立ち上がり部３１の上縁より水平方向に向けて折り曲げた平板状の水平板部３２とを備え、水平板部３２がハートカム７の上面部に沿って当該上面部と平行配置に埋設され、その水平板部３２の端縁部が後述するハートカム７の係合凹部２８の内側面部に露出して補強当接部３０を成している。
【００３５】
また、水平板部３２には、端縁部を半円状に切欠くことにより補強当接部３０に当接凹部３３が形成され、この当接凹部３３がハートカム７の係合凹部２８内面部に露出し、係合ピン部９の外周がこの当接凹部３３内に嵌り込み、その内縁部に当接するようになっている。
【００３６】
尚、当接凹部３３は、水平板部３２の端縁部をプレス加工により切欠いて形成するので、係合ピン部９の外形に整合させるように適宜形成することができる。
【００３７】
ハートカム７は、イジェクタガイド部２５奥側に平面視ハート状に形成され、カード挿抜方向の一端、即ち、カード挿入方向奥側端部にロックピン１０の係合ピン部９が係合するＶ字状又はＵ字状の係合凹部２８を備え、その内側部に係合ピン部９が係合するようになっている。
【００３８】
ロックピン１０は、金属棒材をもって形成され、一端に下向きに折り曲げた形状の回動軸部４０を備え、他端に下向きに折り曲げた形状の係合ピン部９を備え、コ字状を成し、回動軸部４０がイジェクタ５奥部の軸支孔４１に挿入され、ロックピン１０の回動中心軸を構成し、係合ピン部９がハウジング本体１１に形成されたピンガイド溝８内に挿入されている。
【００３９】
また、ロックピン１０は、シールドカバー１２の天板部に切り起こしにより形成された押し下げバネ４２によってピンガイド溝８の底部側に付勢され、係合ピン部９がピンガイド溝８の底部より浮き上がらないようにしている。
【００４０】
ピンガイド溝８は、図５に示すように、ハウジング本体１１の表面にハートカム式のループ状に形成され、ハートカム７の両側部に配置された往路部５０及び復路部５１と、ハートカム７の係合凹部２８側に配置されたロック部５２とにより構成されている。尚、図中符号５３は、往路部５０と復路部５１とが合流する往復共通部である。
【００４１】
このピンガイド溝８にロックピン１０先端の係合ピン部９が挿入されて、往路部５０、ロック部５２及び復路部５１に沿って順次循環するようになっており、係合ピン部９が循環中逆戻りしないように、往路部５０、ロック部５２及び復路部５１の底部は、移動方向の終端側が高くなるように傾斜して形成され、各部の繋ぎ目部分に移動方向規制用の段部５４ａ〜５４ｄが形成されている。
【００４２】
ロックピン１０の係合ピン部９は、カードＡ未挿入状態において、原点停止位置ａにあり、カード押し込み動作に連動してイジェクタ５が移動すると、往路部５０を移動し、押し込み操作力を解除すると押し出しバネ６により押し出し停止位置側に戻るようになっている。
【００４３】
一方、初めのカード押し込み動作によって、係合ピン部９が往路部５０の末端位置ｂまで到達すると、段部５４ａによって往路部５０側への移動が規制され、その位置ｂで押し込み操作力を解除することによりハートカム７の係合凹部２８内の位置ｃに移動する。
【００４４】
そして、係合凹部２８内に係合ピン部９が移動することにより、図５、図６に示すように、係合ピン部９がハートカム７と係合し、ロックピン１０を介してイジェクタ５とハートカム７とが互いに係合し、イジェクタ５の移動が規制され、イジェクタ５をロック状態とする。
【００４５】
その際、係合ピン部９は、係合凹部２８に嵌合することによって係合凹部２８の内側に配置された補強当接部３０に当接し、係合ピン部９からハートカム７が受ける負荷に対し強度の高い金属製の補強金具２７で対抗するようになっている。
【００４６】
それによってハートカム７の破損が防止され、安定した係合状態を維持し、高温下に晒されたことによる樹脂強度の低下や落下衝撃等により係合ピン部９からハートカム７に対して作用する過度な負荷にも対抗できるようになっている。
【００４７】
また、補強当接部３０に当接凹部３３を備え、係合ピン部９が当接凹部３３に嵌合することによって、係合ピン部９からハートカム７部に作用する負荷がカード挿抜方向に対し斜め方向に作用するような場合であっても、補強当接部３０から係合ピン部９が逸脱するのを防止し、ハートカム７を保護することができる。
【００４８】
更に、当接凹部３３に係合ピン部９が嵌り込むことにより、補強当接３０の係合ピン部９に対する接触面積が多くなり、係合ピン部９より補強当接部３０が受ける負荷が分散される。
【００４９】
一方、係止解除のために再度のカード押し込み動作、即ちプッシュアウト動作すると、段部５４ｂによって往路部５０側への移動が規制され、係合ピン部９が末端停止位置ｄに移動し、その位置ｄで押し込み操作力を解除することにより、段部５４ｃによって係合凹部２８側への移動が規制され、イジェクタ５が押し出しバネ６に押圧されて移動し、係合ピン部９が復路部５１及び往路復路共通部５３を通って原点位置ａに復帰する。
【００５０】
尚、補強金具の態様は、上述の実施例に限定されず、例えば、図７、図８に示すように、係合凹部２８の内側面部に表面が露出する金属板からなる鉛直板部６０を備え、鉛直板部６０の表面を補強当接部とした補強金具６１であってもよい。尚、上述の実施例と同様の構成には同一符号を付して説明を省略する。
【００５１】
この補強金具６１は、ハウジング用部材２４の底板部２６の一方の端縁より延出した延出部６３と、延出部６３の端縁より鉛直上向きに折り曲げた形状の鉛直板部６０とを備え、インサート成形によりハウジング用部材２４をハウジング本体１１に組み込むことにより、鉛直板部６０が係合凹部２８の内側に露出した状態でハートカム７に埋設されるようになっている。
【００５２】
また、この鉛直板部６０には、プレス加工により板材を板厚方向に膨出させることによって縦向き溝状の凹部６４が形成され、この凹部６４を当接凹部として係合ピン部９を嵌合させた状態に当接させるようになっている。
【００５３】
また、補強金具７０は、図９、図１０に示すように、金属製板材をもって構成し、ハートカム７に縦向き且つ板幅方向をカード挿抜方向に向けて埋設させ、板材側縁を補強当接部７１としたものであってもよい。尚、上述の実施例と同様の構成には同一符号を付して説明を省略する。
【００５４】
更に、上述の実施例では、補強金具２７をハウジング用部材２４と一体に備えた例について説明したが、補強金具を単独で備えるようにしたものであってもよい。
【００５５】
また、上述の実施例では、ハートカム７をハウジング３に備えた例について説明したが、イジェクタ５を絶縁性合成樹脂により形成し、その表面部にハートカム７及びピンガイド溝８を備え、且つ、補強金具２７を一体成形によりハートカム７に組み込むようにしてもよい。
【００５６】
また、上述の実施例では、マイクロＳＤカード等のカードを直接カード挿入部に挿入するようにした例について説明したが、カードの態様は上述の実施例に限定されず、各仕様のカードに適用することができ、また、カードには、カードそのものの他、カードトレイ、カードアダプタ等を含み、これらにも適用することができる。
【符号の説明】
【００５７】
Ａ  カード
１  カードコネクタ
２  カード挿入部
３  ハウジング
４  コンタクト
５  イジェクタ
６  押し出しバネ
７  ハートカム
８  ピンガイド溝
９  係合ピン部
１０  ロックピン
１１  ハウジング本体
１２  シールドカバー
２１  底板部
２２、２３  側壁部
２４  ハウジング用部材
２５  イジェクタガイド部
２６  底板部
２７  補強金具
２８  係合凹部
３０  補強当接部
３１  立ち上がり部
３２  水平板部
３３  当接凹部
４０  回動軸部
４１  軸支孔
４２  押し下げバネ
５０  往路部
５１  復路部
５２  ロック部
５３  往復共通部
５４ａ〜５４ｄ  段部
６０  鉛直板部
６１  補強金具
６３  延出部
６４  凹部
７０  補強金具
７１  補強当接部
【図１】
0005904340.tif 000002
【図２】
0005904340.tif 000003
【図３】
0005904340.tif 000004
【図４】
0005904340.tif 000005
【図５】
0005904340.tif 000006
【図６】
0005904340.tif 000007
【図７】
0005904340.tif 000008
【図８】
0005904340.tif 000009
【図９】
0005904340.tif 000010
【図１０】
0005904340.tif 000011
【図１１】
0005904340.tif 000012
【図１２】
0005904340.tif 000013